(57)【要約】【課題】既設の便器洗浄用タンク内の洗浄弁に簡便に使用できて吐水量の調節ができ、該調節時のフロートの位置調節が簡易な弁体構造を提供すること。【解決手段】フラッパ弁体５に接合されるガイド棒８と、ガイド棒８に上下調節自在に位置決めされるフロート１１とから成る弁体構造において、前記ガイド棒８には長さ方向に多数の凹溝８aが配設されるとともに、凹溝８aにクリップ８bが係合され、ガイド棒８とフロート１１がケース６に収納され、ガイド棒８がケース６を含んでフラッパ弁体５に上下方向に揺動自在に接合される。このほか、昇降弁体１４の下方に中空管１６が垂下され中空管１６にガイドバー１７が昇降自在に案内されたものや、ケース６がオーバーフロー管１に嵌着された昇降ガイド１３に案内されたものも提供される。【選択図】図１
2010255364.tif 000002
【特許請求の範囲】
【請求項１】
弁体に接合されるガイド棒と、該ガイド棒に上下調節自在に位置決めされて成るフロートとから成る弁体構造において、
前記ガイド棒には、長さ方向に多段に配設された段部にストッパーが係合され、ガイド棒とフロートがケースに収納されるとともに、ガイド棒がケースを含んで前記弁体に上下方向に揺動自在に接合されて成る洗浄弁における弁体構造。
【請求項２】
前記弁体の下方に中空管が垂下され、該中空管にガイドバーが昇降自在に案内されて成る請求項１記載の洗浄弁における弁体構造。
【請求項３】
前記ケースがオーバーフロー管に嵌着された昇降ガイドに案内されて成る請求項１又は２記載の洗浄弁における弁体構造。
【発明の詳細な説明】
【技術分野】
【０００１】
本発明は、便器洗浄用タンク内の浮力をもつ洗浄弁における弁体構造に関する。
【背景技術】
【０００２】
便器洗浄用タンク内の排水量及び残留水量を安定的に調節できるフロートを使用した排水弁（洗浄弁）に関する技術は、特開２００８−１５６８９９号公報（特許文献１）や実用新案登録第３０８８５２６号（特許文献２）等多数提案されているが、何れも弁体と便器洗浄用タンクに設けられるレバー間に接続される玉鎖や吊り索などの紐体にフロートを外嵌位置決めするものであり、紐体へのフロートの位置決め調節が面倒である。
【先行技術文献】
【特許文献】
【０００３】
【特許文献１】特開２００８−１５６８９９号公報
【特許文献２】実用新案登録第３０８８５２６号
【発明の概要】
【発明が解決しようとする課題】
【０００４】
本発明は、既設の便器洗浄用タンク内の洗浄弁に簡便に使用できて吐水量の調節ができ、該調節時のフロートの位置調節が簡易な弁体構造を提供する。
【課題を解決するための手段】
【０００５】
本発明の請求項１に記載した弁体構造は、弁体に接合されるガイド棒と、該ガイド棒に上下調節自在に位置決めされて成るフロートとから成る弁体構造において、
前記ガイド棒には、長さ方向に多数の段部が配設されるとともに該段部においてストッパーが係合され、ガイド棒とフロートがケースに収納されるとともにガイド棒がケースを含んで前記弁体に上下方向に揺動自在に接合されて成る。
請求項２に記載した発明は、請求項１に記載した弁体構造において
前記弁体の下方に中空管が垂下され、該中空管にガイドバーが昇降自在に案内されて成る。
請求項３に記載した発明は、請求項１又は２に記載の弁体構造において、
前記ケースがオーバーフロー管に嵌着された昇降ガイドに案内されて成る。
【発明の効果】
【０００６】
本発明の弁体構造によれば、フロートがガイド棒に外嵌されるとともにケースに収納されて摺動自在に案内されるから、上下への位置調節がスムーズで簡易となる上、フロートのガイド棒における位置決めは段部とストッパーとの係合によるものであるから、ストッパーへの位置変更時にかかる外力がガイド棒に負荷されるのみで直接フロートに作用しないから、フロートを破損することもなく安全であり、さらに、ケースが昇降ガイドに案内され弁座への弁体の案内が安定するほか、ボールタップの下降位置を規制してその運動量を制限し、寿命を延命できる効果がある。
【図面の簡単な説明】
【０００７】
【図１】本発明の弁体構造Ａの説明用縦断面図。
【図２】本発明の弁体構造Ｂの説明用縦断面図で、フラッパ弁体５の閉止状態から仮想線で示す最大開弁状態を示したものである。
【図３】本発明の弁体構造Ｃの説明用縦断面図。
【図４】弁体構造Ｃの要部の他の実施態様を示す要部部分縦断面図。
【図５】昇降ガイド１３の説明図で、（ａ）はケース６のみを案内する昇降ガイド１３の平面図、（ｂ）はケース６の案内とストッパーを兼ねたストッパー部１３bを設けた昇降ガイド１３の平面図。
【発明を実施するための形態】
【０００８】
ガイド棒８における段部は、周面に刻設される多段の凹溝８aや、周面に多段に突設されるピン状の突起８cがあり、凹溝８aにはクリップ８bが係合し突起８cにはＯリングを外嵌して係止する。オーバーフロー管１に嵌着される昇降ガイド１３は、単にケース６のみを案内するものから、給水用のボールタップの降下位置の位置決め手段を有するものが提供される。ガイド棒８はケース６の座盤６aと一体のものから、直接又は間接的にケース６の座盤６aに螺着されるものがある。昇降弁体１４に垂下される中空管１６はガイド棒８に螺合又は圧入嵌着で垂下されるものからケース６の座盤６aに垂下されるボス部６cに螺合するコネクター１５に螺合するものが提供される。
【実施例１】
【０００９】
本発明を実施例により説明すると、図１に示すようにオーバーフロー管１の周面に配設される枢軸２にその支持アーム３が軸支されて漏斗状の弁座４の開口面に開閉自在に被蓋されるフラッパ弁体５は、その上面中央に立設した係合軸５aにおいてケース６の底面に一体の座盤６aに螺合した自在ジョイント７の二股７aにピン７bで回転自在に接合されている。ケース６の中心に縦設されるガイド棒８はその下端が自在ジョイント７に螺合して接続され、その上端が便器洗浄用タンク９に設けられるレバー（図外）に接続された玉鎖１０の他端に接続される。そして、ガイド棒８の上部には長さ方向に沿って所要ピッチで周面に刻設される段部としての凹溝８aが多段に配設される。ガイド棒８にその中心孔１１aにおいて外嵌されるフロート１１は発泡質体でその外周がケース６の内周に摺動自在に内嵌され、ガイド棒８の凹溝８aに嵌着されるストッパーとしてのクリップ８bによってフロート１１の上下が位置決めされるが、ガイド棒８に対するフロート１１の位置決めをするときのクリップ８bの凹溝８aへの着脱はケース６の抜き窓６bから操作されるもので、フロート１１の位置がガイド棒８の上部にあれば節水となり、下部に降下する毎に吐水量が多くなる。
【００１０】
このようにして成る弁体構造Ａは、排水口１２からの吐水量の調節にはケース６と共にガイド棒８を一方の手で持ち、他方の手でケース６の抜き窓６bよりガイド棒８の凹溝８aからクリップ８bの脱着ができるので、フロート１１には無理な外力が負荷されず、安全かつ簡単にフロート１１の位置調節ができる。
【実施例２】
【００１１】
弁体構造Ｂについて説明すると、図２に示すように、枢軸２に支持アーム３が軸支されるフラッパ弁体５は、その上面中央に立設した係合軸５aにおいてケース６の底面に一体の座盤６aに垂下されるボス部６cに螺合して接続された自在ジョイント７の二股７aにピン７bで回転自在に接合され、ケース６の中心に縦設されるガイド棒８の下端はケース６底面に一体の座盤６aと一体に成形され、その上端は前記と同様に便器洗浄用タンク９に設けられるレバー（図外）に一端が接続される玉鎖１０の他端に接続される。そして、ガイド棒８の上部には長さ方向に沿って所要ピッチで周面に段部としてのピン状の突起８cが多段に配列され、各突起８c、８c間の周面にはＯリング８dが嵌着され、ガイド棒８にその中心孔１１aにおいて外嵌されるフロート１１は、その外周がケース６の内周に摺動自在に内嵌され、ガイド棒８の突起８Cで位置規制されて周面に外嵌するストッパーとしてのＯリング８dによってフロート１１の少なくとも上部一端が位置決めされるが、Ｏリング８dの突起８cの乗り越えは、抜き窓６bから差し入れた指先の腹でなでながら簡単にできるから、フロート１１の上下移動は極めて簡単になされ、フロート１１の位置がフラッパ弁体５より離れれば離れるほど節水となり、フロート１１がフラッパ弁体５に近づけば近づくほど吐水量が多くなる。
【００１２】
このようにして成る弁体構造Ｂは、吐水量の調節にはケース６内でガイド棒８に案内するフロート１１を下方へ移動させ、Ｏリング８dをガイド棒８の所要位置に位置取りさせ、その位置へのフロート１１を押し上げて位置決めが完了するから、フロート１１には位置決め時に無理な外力が負荷されず安全に位置調節ができる。
【実施例３】
【００１３】
弁体構造Ｃについて説明すると、図３に示すように、オーバーフロー管１に図５（ａ）に示す昇降ガイド１３のクリップ部１３cが外嵌し、ガイド孔１３aにケース６が内嵌挿通され、ケース６の底面に一体の座盤６aに垂下されたボス部６cには、パッキング６dを介在させて下に輪郭が半球状の昇降弁体１４を挟持するようにコネクター１５が螺合され、コネクター１５にはケース６の中心に縦設されるガイド棒８の下端部が螺合され、コネクター１５の雌ネジの下端に内嵌されたＯリング１５aによってガイド棒８の螺合下端の水密性が確保され、ガイド棒８の下端には中空管１６が接合（螺合でも内嵌圧着でもよい）され、中空管１６はその下端が内径より僅かに絞られて小径部１６aとされ、頭部１７aが小径部１６aに係着されて抜け止めされるガイドバー１７が中空管１６に昇降自在に案内され、ガイドバー１７は弁座４の排水孔１２中に配設され、中空管１６を案内する案内孔１２aに遊嵌されてケース６の中心が下方で保持される。ガイド棒８の上部には前記弁体構造Ａにおけるように、その周面には多段に所要ピッチで凹溝８aが配設され、凹溝８aに嵌着されるストッパーとしてのクリップ８bによってガイド棒８にその中心孔１１aで外嵌されるフロート１１の上下が位置決めされるが、ガイド棒８の上端には便器洗浄用タンク９に設けられるレバー（図外）に一端が接続される玉鎖１０の他端が接続される。そして、ガイド棒８に対するフロート１１の位置決めをするときのクリップ８bの凹溝８aへの着脱はケース６の抜き窓６bから操作される。その操作は一方の手でケース６と共にガイド棒８を持ち、他方の手でクリップ８bの脱着ができるので、フロート１１には無理な外力が負荷されず、安全に且つ簡単にフロート１１の位置調節ができ、フロート１１の位置がガイド棒８の上部にあれば節水となり、下部に降下する毎に吐水量が多くなる。なお、オーバーフロー管１の上部に取着した仮想線で示す昇降ガイド１３は、ストッパー部１３bを有する図５（ｂ）に示すもので、便宜上見易くするためにその位置に表示したもので、このものはケース６の案内と共に給水用のボールタップ（図外）の降下位置を規制してボールタップの運動量を軽減できる効果がある。
【００１４】
本弁体構造Ｃの他の実施態様を図４で説明すると、ガイド棒８はケース６の座盤６aと一体に形成され、中空管１６は昇降弁体１４が座盤６aに垂下したボス部６cと共働して挟持するようにボス部６cに螺合したコネクター１５に螺着される構造であり、中空管１６の下端に配設された小径部１６aは、中空管１６の内周に昇降自在に案内されるガイドバー１７の頭部１７aを支持してその抜け止めを図るとするものである。したがって、昇降弁体１４が降下して弁座４に近づくとガイドバー１７が排水口１２の曲管（図外）の内周に当接するが、ガイドバー１７は中空管１６に案内されるから、ついには中空管１６が排水孔１２中の案内孔１２aに案内されて弁座４に着座して閉弁される。
【産業上の利用可能性】
【００１５】
本発明の弁体構造は、既設の便器洗浄用タンク内の洗浄弁に適用されて吐水量調節が簡易となるから、節水の点で需要が期待され、水を大切に使おうという観念が喚起され、衛生設備業界の活性化に貢献できる。
【符号の説明】
【００１６】
１：オーバーフロー管
２：枢軸
３：支持アーム
４：弁座
５：フラッパ弁体
６：ケース
６a：座盤
６b：抜き窓
６c：ボス部
６d：パッキング
７：自在ジョイント
７a：二股
７b：ピン
８：ガイド棒
８a：凹溝
８b：クリップ
８c：突起
８d：Ｏリング
９：便器洗浄用タンク
１０：玉鎖
１１：フロート
１１a：中心孔
１２：排水口
１２a：案内孔
１３：昇降ガイド
１３a：ガイド孔
１３b：ストッパー部
１３c：クリップ部
１４：昇降弁体
１５：コネクター
１５a：Ｏリング
１６：中空管
１６a：小径部
１７：ガイドバー
１７a：頭部
Ａ乃至Ｃ：弁体構造
【図１】
2010255364.tif 000003
【図２】
2010255364.tif 000004
【図３】
2010255364.tif 000005
【図４】
2010255364.tif 000006
【図５】
2010255364.tif 000007
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
弁体に接合されるガイド棒と、該ガイド棒に上下調節自在に位置決めされて成るフロートとから成る弁体構造において、
前記ガイド棒には、長さ方向に多段に配設された段部にストッパーが係合され、ガイド棒とフロートがケースに収納されるとともに、ガイド棒がケースを含んで前記弁体に上下方向に揺動自在に接合されて成る洗浄弁における弁体構造。
【請求項２】
弁体に接合されるガイド棒と、該ガイド棒に上下調節自在に位置決めされて成るフロートとから成る弁体構造において、
前記ガイド棒には、長さ方向に多段に配設された段部にストッパーが係合され、ガイド棒とフロートがケースに収納されるとともに、ガイド棒がケースを含んで前記弁体の下方で中空管が垂下され、該中空管にガイドバーが昇降自在に案内されて該弁体に接合されて成る洗浄弁における弁体構造。
【請求項３】
前記ケースがオーバーフロー管に嵌着された昇降ガイドに案内されて成る請求項２記載の洗浄弁における弁体構造。
【手続補正２】
【補正対象書類名】明細書
【補正対象項目名】全文
【補正方法】変更
【補正の内容】
【発明の詳細な説明】
【技術分野】
【０００１】
本発明は、便器洗浄用タンク内の浮力をもつ洗浄弁における弁体構造に関する。
【背景技術】
【０００２】
便器洗浄用タンク内の排水量及び残留水量を安定的に調節できるフロートを使用した排水弁（洗浄弁）に関する技術は、特開２００８−１５６８９９号公報（特許文献１）や実用新案登録第３０８８５２６号（特許文献２）等多数提案されているが、何れも弁体と便器洗浄用タンクに設けられるレバー間に接続される玉鎖や吊り索などの紐体にフロートを外嵌位置決めするものであり、紐体へのフロートの位置決め調節が面倒である。
【先行技術文献】
【特許文献】
【０００３】
【特許文献１】特開２００８−１５６８９９号公報
【特許文献２】実用新案登録第３０８８５２６号
【発明の概要】
【発明が解決しようとする課題】
【０００４】
本発明は、既設の便器洗浄用タンク内の洗浄弁に簡便に使用できて吐水量の調節ができ、該調節時のフロートの位置調節が簡易な洗浄弁における弁体構造を提供する。
【課題を解決するための手段】
【０００５】
本発明の請求項１に記載した洗浄弁における弁体構造は、弁体に接合されるガイド棒と、該ガイド棒に上下調節自在に位置決めされて成るフロートとから成る弁体構造において、
前記ガイド棒には、長さ方向に多数の段部が配設されるとともに該段部においてストッパーが係合され、ガイド棒とフロートがケースに収納されるとともにガイド棒がケースを含んで前記弁体に上下方向に揺動自在に接合されて成る。
本発明の請求項２に記載した洗浄弁における弁体構造は弁体に接合されるガイド棒と、該ガイド棒に上下調節自在に位置決めされて成るフロートとから成る弁体構造において、
前記ガイド棒には、長さ方向に多段に配設された段部にストッパーが係合され、ガイド棒とフロートがケースに収納されるとともに、ガイド棒がケースを含んで前記弁体の下方で中空管が垂下され、該中空管にガイドバーが昇降自在に案内されて該弁体に接合されて成る。
請求項３に記載した発明は、請求項２に記載した洗浄弁における弁体構造において、
前記ケースがオーバーフロー管に嵌着された昇降ガイドに案内されて成る。
【発明の効果】
【０００６】
本発明の洗浄弁における弁体構造によれば、フロートがガイド棒に外嵌されるとともに、ケースに収納されて摺動自在に案内されるから、上下への位置調節がスムーズで簡易となる上、フロートのガイド棒における位置決めは段部とストッパーとの係合によるものであり、ストッパーへの位置変更時にかかる外力がガイド棒に負荷されるのみで直接フロートに作用しないから、フロートを破損することもなく安全であり、さらに、ケースが昇降ガイドに案内され弁座への弁体の案内が安定するほか、ボールタップの下降位置を規制してその運動量を制限し、その寿命を延命できる効果がある。
【図面の簡単な説明】
【０００７】
【図１】本発明の洗浄弁における弁体構造（以下、単に弁体構造とする。）Ａの説明用縦断面図。
【図２】本発明の弁体構造Ｂの説明用縦断面図で、フラッパ弁体５の閉止状態から仮想線で示す最大開弁状態を示したものである。
【図３】本発明の弁体構造Ｃの説明用縦断面図。
【図４】弁体構造Ｃの要部の他の実施態様を示す要部部分縦断面図。
【図５】昇降ガイド１３の説明図で、（ａ）はケース６のみを案内する昇降ガイド１３の平面図、（ｂ）はケース６の案内とストッパーを兼ねたストッパー部１３bを設けた昇降ガイド１３の平面図。
【発明を実施するための形態】
【０００８】
ガイド棒８における段部は、周面に刻設される多段の凹溝８aや、周面に多段に突設されるピン状の突起８cがあり、凹溝８aにはクリップ８bが係合し突起８cにはＯリングを外嵌して係止する。オーバーフロー管１に嵌着される昇降ガイド１３は、単にケース６のみを案内するものから、給水用のボールタップの降下位置の位置決め手段を有するものが提供される。ガイド棒８はケース６の座盤６aと一体のものから、直接又は間接的にケース６の座盤６aに螺着されるものがある。昇降弁体１４に垂下される中空管１６はガイド棒８に螺合又は圧入嵌着で垂下されるものからケース６の座盤６aに垂下されるボス部６cに螺合するコネクター１５に螺合するものが提供される。
【実施例１】
【０００９】
本発明の洗浄弁における弁体構造（以下、単に弁体構造とする。）Ａを実施例により説明すると、図１に示すようにオーバーフロー管１の周面に配設される枢軸２にその支持アーム３が軸支されて漏斗状の弁座４の開口面に開閉自在に被蓋されるフラッパ弁体５は、その上面中央に立設した係合軸５aにおいてケース６の底面に一体の座盤６aに螺合した自在ジョイント７の二股７aにピン７bで回転自在に接合されている。ケース６の中心に縦設されるガイド棒８はその下端が自在ジョイント７に螺合して接続され、その上端が便器洗浄用タンク９に設けられるレバー（図外）に接続された玉鎖１０の他端に接続される。そして、ガイド棒８の上部には長さ方向に沿って所要ピッチで周面に刻設される段部としての凹溝８aが多段に配設される。ガイド棒８にその中心孔１１aにおいて外嵌されるフロート１１は発泡質体でその外周がケース６の内周に摺動自在に内嵌され、ガイド棒８の凹溝８aに嵌着されるストッパーとしてのクリップ８bによってフロート１１の上下が位置決めされるが、ガイド棒８に対するフロート１１の位置決めをするときのクリップ８bの凹溝８aへの着脱はケース６の抜き窓６bから操作されるもので、フロート１１の位置がガイド棒８の上部にあれば節水となり、下部に降下する毎に吐水量が多くなる。
【００１０】
このようにして成る弁体構造Ａは、排水口１２からの吐水量の調節にはケース６と共にガイド棒８を一方の手で持ち、他方の手でケース６の抜き窓６bよりガイド棒８の凹溝８aからクリップ８bの脱着ができるので、フロート１１には無理な外力が負荷されず、安全かつ簡単にフロート１１の位置調節ができる。
【実施例２】
【００１１】
弁体構造Ｂについて説明すると、図２に示すように、枢軸２に支持アーム３が軸支されるフラッパ弁体５は、その上面中央に立設した係合軸５aにおいてケース６の底面に一体の座盤６aに垂下されるボス部６cに螺合して接続された自在ジョイント７の二股７aにピン７bで回転自在に接合され、ケース６の中心に縦設されるガイド棒８の下端はケース６底面に一体の座盤６aと一体に成形され、その上端は前記と同様に便器洗浄用タンク９に設けられるレバー（図外）に一端が接続される玉鎖１０の他端に接続される。そして、ガイド棒８の上部には長さ方向に沿って所要ピッチで周面に段部としてのピン状の突起８cが多段に配列され、各突起８c、８c間の周面にはＯリング８dが嵌着され、ガイド棒８にその中心孔１１aにおいて外嵌されるフロート１１は、その外周がケース６の内周に摺動自在に内嵌され、ガイド棒８の突起８Cで位置規制されて周面に外嵌するストッパーとしてのＯリング８dによってフロート１１の少なくとも上部一端が位置決めされるが、Ｏリング８dの突起８cの乗り越えは、抜き窓６bから差し入れた指先の腹でなでながら簡単にできるから、フロート１１の上下移動は極めて簡単になされ、フロート１１の位置がフラッパ弁体５より離れれば離れるほど節水となり、フロート１１がフラッパ弁体５に近づけば近づくほど吐水量が多くなる。
【００１２】
このようにして成る弁体構造Ｂは、吐水量の調節にはケース６内でガイド棒８に案内するフロート１１を下方へ移動させ、Ｏリング８dをガイド棒８の所要位置に位置取りさせ、その位置へのフロート１１を押し上げて位置決めが完了するから、フロート１１には位置決め時に無理な外力が負荷されず安全に位置調節ができる。
【実施例３】
【００１３】
弁体構造Ｃについて説明すると、図３に示すように、オーバーフロー管１に図５（ａ）に示す昇降ガイド１３のクリップ部１３cが外嵌し、ガイド孔１３aにケース６が内嵌挿通され、ケース６の底面に一体の座盤６aに垂下されたボス部６cには、パッキング６dを介在させて下に輪郭が半球状の昇降弁体１４を挟持するようにコネクター１５が螺合され、コネクター１５にはケース６の中心に縦設されるガイド棒８の下端部が螺合され、コネクター１５の雌ネジの下端に内嵌されたＯリング１５aによってガイド棒８の螺合下端の水密性が確保され、ガイド棒８の下端には中空管１６が接合（螺合でも内嵌圧着でもよい）され、中空管１６はその下端が内径より僅かに絞られて小径部１６aとされ、頭部１７aが小径部１６aに係着されて抜け止めされるガイドバー１７が中空管１６に昇降自在に案内され、ガイドバー１７は弁座４の排水孔１２中に配設され、中空管１６を案内する案内孔１２aに遊嵌されてケース６の中心が下方で保持される。ガイド棒８の上部には前記弁体構造Ａにおけるように、その周面には多段に所要ピッチで凹溝８aが配設され、凹溝８aに嵌着されるストッパーとしてのクリップ８bによってガイド棒８にその中心孔１１aで外嵌されるフロート１１の上下が位置決めされるが、ガイド棒８の上端には便器洗浄用タンク９に設けられるレバー（図外）に一端が接続される玉鎖１０の他端が接続される。そして、ガイド棒８に対するフロート１１の位置決めをするときのクリップ８bの凹溝８aへの着脱はケース６の抜き窓６bから操作される。その操作は一方の手でケース６と共にガイド棒８を持ち、他方の手でクリップ８bの脱着ができるので、フロート１１には無理な外力が負荷されず、安全に且つ簡単にフロート１１の位置調節ができ、フロート１１の位置がガイド棒８の上部にあれば節水となり、下部に降下する毎に吐水量が多くなる。なお、オーバーフロー管１の上部に取着した仮想線で示す昇降ガイド１３は、ストッパー部１３bを有する図５（ｂ）に示すもので、便宜上見易くするためにその位置に表示したもので、このものはケース６の案内と共に給水用のボールタップ（図外）の降下位置を規制してボールタップの運動量を軽減できる効果がある。
【００１４】
本弁体構造Ｃの他の実施態様を図４で説明すると、ガイド棒８はケース６の座盤６aと一体に形成され、中空管１６は昇降弁体１４が座盤６aに垂下したボス部６cと共働して挟持するようにボス部６cに螺合したコネクター１５に螺着される構造であり、中空管１６の下端に配設された小径部１６aは、中空管１６の内周に昇降自在に案内されるガイドバー１７の頭部１７aを支持してその抜け止めを図るとするものである。したがって、昇降弁体１４が降下して弁座４に近づくとガイドバー１７が排水口１２の曲管（図外）の内周に当接するが、ガイドバー１７は中空管１６に案内されるから、ついには中空管１６が排水孔１２中の案内孔１２aに案内されて弁座４に着座して閉弁される。
【産業上の利用可能性】
【００１５】
本発明の弁体構造は、既設の便器洗浄用タンク内の洗浄弁に適用されて吐水量調節が簡易となるから、節水の点で需要が期待され、水を大切に使おうという観念が喚起され、衛生設備業界の活性化に貢献できる。
【符号の説明】
【００１６】
１：オーバーフロー管
２：枢軸
３：支持アーム
４：弁座
５：フラッパ弁体
６：ケース
６a：座盤
６b：抜き窓
６c：ボス部
６d：パッキング
７：自在ジョイント
７a：二股
７b：ピン
８：ガイド棒
８a：凹溝
８b：クリップ
８c：突起
８d：Ｏリング
９：便器洗浄用タンク
１０：玉鎖
１１：フロート
１１a：中心孔
１２：排水口
１２a：案内孔
１３：昇降ガイド
１３a：ガイド孔
１３b：ストッパー部
１３c：クリップ部
１４：昇降弁体
１５：コネクター
１５a：Ｏリング
１６：中空管
１６a：小径部
１７：ガイドバー
１７a：頭部
Ａ乃至Ｃ：弁体構造